(57)【要約】【課題】軽量で軽量化、不燃性、耐火性、断熱性を備え、製造に際してフロンや化学発泡材を使用せず、廃棄に際して二酸化炭素の実質的な排出量が少ないパネル材を提供する。【解決手段】パネル材１０は、平板状の金属パネル１１と、金属パネルの両面の全域に接合されると共に、紙、澱粉、ポリプロピレンを原材料として水蒸気発泡を施して形成された発泡材料からなる断熱パネル１２、１２と、断熱パネル１２、１２の外側面の全域に接合されたメラミン化粧板１３、１３とからなる。【選択図】図１
0003193063.tif 000002
【実用新案登録請求の範囲】
【請求項１】
平板状の金属パネルと、前記金属パネルの少なくとも一方の面の全域に接合されると共に、紙、澱粉、及びポリプロピレンを原材料として水蒸気発泡を施して形成された発泡材料からなる断熱パネルと、前断熱パネルの前記金属パネルと接合された面と反対側の面の全域に接合された不燃材料からなる化粧パネルとを備えることを特徴とするパネル材。
【請求項２】
前記金属パネルの両面に前記断熱パネル及び前記化粧パネルを配置したことを特徴とする請求項１に記載のパネル材。
【請求項３】
前記金属パネルは、アルミニウム製又は鉄製であることを特徴とする請求項１又は請求項２に記載のパネル材。
【請求項４】
前記断熱パネルを形成する発泡材料は、紙及び澱粉の質量が全体の５０％以上を占めることを特徴とする請求項１から請求項３のいずれか一項に記載のパネル材。
【請求項５】
前記化粧パネルは、メラミン樹脂化粧板であることを特徴とする請求項１から請求項４のいずれか一項に記載のパネル材。
【請求項６】
前記金属パネルは少なくとも１ｍｍの厚さ寸法を備えることを特徴とする請求項１から請求項５のいずれか一項に記載のパネル材。
【請求項７】
建築物の部屋を仕切るパーティション材であることを特徴とする請求項１から請求項６のいずれか一項に記載のパネル材。
【考案の詳細な説明】
【技術分野】
【０００１】
本考案は、軽量であり、良好な不燃性、断熱性及び廃棄性を備えたパネル材に関する。
【背景技術】
【０００２】
一般に、住宅等の建築物の壁面部を含む面材として石膏ボードが広く使用されてきている。このような石膏ボードは、石膏を主成分とした素材を板状にして、特殊な板紙で包装して構成されている。その結果、安価であると共も非常に丈夫であり、耐火性、断熱性、遮音性に富む。
【０００３】
しかしながら、このような従来の石膏ボードは、所定の重量があることから、例えば、壁材として構成した場合には全体の重量が大きくなり、搬送時又は施工現場において取り扱いが不便である、という不具合が存していた。
【０００４】
一方、従来、建物内の仕切り、例えばパーティション用の建材としてパネル材が用いられる。このようなパネル材は、不燃性、耐火性、断熱性、遮音性、が求められる。また、パネル材は、軽量であることが好ましい。このような、パネル材として以下のものが提案されている。
【０００５】
特許文献１には、フェノール樹脂を主成分として発泡剤により発泡成形された板状の断熱フォームと、セピオライトを主成分として剛性を有する板状に成形され、前記断熱フォームの厚さ方向側面に接合された不燃性ボードと、前記不燃性ボードを前記断熱フォームの厚さ方向側面に接着して接合する接着剤とを具備するパネル材が記載されている。
【０００６】
このパネル材は、軽量化を実現すると共に、不燃性、耐火性、断熱性等、必要とされる熱的特性を確実に実現することができる。また、必要に応じて、不燃耐火断熱パネルとしても使用することができ、高い剛性も併有し、かつ、遮音性にも優れる。
【特許文献１】特開２００４−１００２２８公報
【考案の開示】
【考案が解決しようとする課題】
【０００７】
しかし、従来のパネル材は、合成樹脂材料を主成分とする発泡材を使用するため、製造にフロンを使用したり、廃棄に多くの二酸化炭素を排出することから環境保全の観点からは好ましいものではない。
【０００８】
そこで、本考案は軽量で軽量化、不燃性、耐火性、断熱性を備え、製造に際してフロンや化学発泡材を使用せず、廃棄に際して二酸化炭素の実質的な排出量が少ないパネル材を提供することを目的とする。
【課題を解決するための手段】
【０００９】
前記課題を解決する請求項１に記載の考案は、平板状の金属パネルと、前記金属パネルの少なくとも一方の面の全域に接合されると共に、紙、澱粉、及びポリプロピレンを原材料として水蒸気発泡を施して形成された発泡材料からなる断熱パネルと、前断熱パネルの前記金属パネルと接合された面と反対側の面の全域に接合された不燃材料からなる化粧パネルとを備えることを特徴とする。
【００１０】
本考案に係るパネル材によれば、断熱パネルを、紙、澱粉、ポリプロピレンを原材料として水蒸気発泡を施して形成された発泡材料で形成しているので、製造にフロンを使用しない。また発泡材料は、リサイクル使用が可能であり、廃棄した場合であっても多量の二酸化炭素を排出したりすることがない。
また、金属パネルと不燃材料からなる化粧パネルを使用しているので難燃性、不燃性を有する。また、断熱パネルを発泡材料で構成しているので、断熱性の他遮音性を発揮できると共にパネル部材全体を軽量にできる。
さらに、本考案に係るパネル材を、例えば、壁材として使用することもでき、その場合には従来の石膏ボードとは異なり非常に軽量であることから、施工現場において取り扱いやすく、断熱性、施工性及び廃棄性に富む壁パネル材を提供することができる。
【００１１】
同じく請求項２に記載の考案は、請求項１に記載のパネル材において、前記金属パネルの両面に前記断熱パネル及び前記化粧パネルを配置したことを特徴とする。
【００１２】
本考案に係るパネル材によれば、金属パネルの両側に断熱パネル及び化粧パネルを配置しているので、部屋のパーティションとして使用したとき、間仕切りされた両側の部屋に化粧パネルが現れ、美観に優れる。また、間仕切りされた両側の部屋の間には、１枚の金属パネル及び２枚の断熱パネル及び化粧パネルが配置されるので、両側の部屋間における断熱性、遮音性に優れたものとできる。さらに、軽量であることから施工性に富む。
【００１３】
同じく請求項３に記載の考案は、請求項１又は請求項２に記載のパネル材において、前記金属パネルは、アルミニウム製又は鉄製であることを特徴とする。
【００１４】
本考案に係るパネル材によれば、パネル材にはアルミニウム製、又は鉄製の金属パネルを備えるので、難燃性、不燃性に優れたものとできる。また、金属パネルをアルミニウム製とした場合にはパネル材を軽量にできる。
【００１５】
同じく請求項４に記載の考案は、請求項１から請求項３のいずれか一項に記載のパネル材において、前記断熱パネルを形成する発泡材料は、紙及び澱粉の質量が全体の５０％以上を占めることを特徴とする。
【００１６】
本考案に係るパネル材によれば、発泡材料は紙及び澱粉を多く含むので、二酸化炭素の実質排出量を少ないものとできる。また、断熱パネルの製造にフロンを使用することがない。このため、製造、廃棄にともなう環境負荷を小さいものとできる。
【００１７】
同じく請求項５に記載の考案は、請求項１から請求項４のいずれか一項に記載のパネル材において、前記化粧板は、メラミン樹脂化粧板であることを特徴とする。
【００１８】
本考案に係るパネル材によれば、不燃性のメラミン樹脂化粧板で断熱パネルを覆っているので、パネル部材を不燃性に優れたものとできる。また、室内には、メラミン樹脂化粧板が現れるので、美観や耐久性に優れる。
【００１９】
同じく請求項６に記載の考案は、請求項１から請求項５のいずれか一項に記載のパネル材において、前記金属パネルは少なくとも１ｍｍの厚さ寸法を備えることを特徴とする。
【００２０】
本考案に係るパネル材によれば、金属パネルの厚さ寸法を１ｍｍ以上としたので、パネル材の剛性を確保することができる。
【００２１】
同じく請求項７に記載の考案は、請求項１から請求項６のいずれか一項に記載のパネル材において、建築物の部屋を仕切るパーティション材であることを特徴とする。
【００２２】
本考案に係るパネル材は、耐火性、不燃性、断熱性、遮音性に優れ、しかも軽量で施工性が良好であると共に、廃棄が容易であることから、建築物の部屋を仕切るパーティション材や壁パネル材に好適である。
【考案の効果】
【００２３】
本考案に係るパネル材によれば、断熱パネルを、紙、澱粉、ポリプロピレンを原材料として水蒸気発泡を施して形成された発泡材料で形成しているので、製造にフロンや化学発泡材を使用しない。また発泡材料は、リサイクル使用が可能であり、廃棄した場合であっても多量の二酸化炭素を排出することがない。
【００２４】
さらに、また、金属パネルと不燃材料からなる化粧パネルを使用しているので難燃性、不燃性を有する。また、断熱パネルを発泡材料で構成しているので、断熱性の他遮音性を発揮できると共にパネル部材全体を軽量にできる。
【図面の簡単な説明】
【００２５】
【図１】本考案の一実施形態に係るパネル材を示す斜視図である。
【図２】同パネル材の図１中のＡ−Ａ線に相当する断面図である。
【考案を実施するための最良の形態】
【００２６】
本考案を実施するための形態に係るパネル材について説明する。図１は本考案の実施形態に係るパネル材を示す斜視図、図２は同パネル材の図１中のＡ−Ａ線に相当する断面図である。
【００２７】
図１及び図２に示すように、実施形態に係るパネル材１０は、１枚の金属パネル１１と、２枚の断熱パネル１２、１２と、化粧パネルである２枚のメラミン化粧板１３、１３とからなる。金属パネル１１は、アルミニウム製の板材であり、例えば厚さ寸法は１ｍｍである。
【００２８】
なお、金属パネル１１は、アルミニウム製とする他、鉄製、その他の金属とすることができる。金属パネル１１の厚さ寸法は、パネル材１０の剛性を確保でき、かつ軽量化が図れる程度に設定する。
【００２９】
２枚の断熱パネル１２、１２は、金属パネル１１の両面の全域に接着剤で接合されている。断熱パネル１２は、紙、澱粉、ポリプロピレンを原材料として水蒸気発泡を施して形成された発泡材料で形成される。この発泡材料は、例えば産業廃棄古紙と、業務用澱粉及びポリプロピレンの混合物を水蒸気発泡で発泡形成したものである。断熱パネル１２は、このような発泡材料で形成されるので、断熱性、遮音性に優れる。
【００３０】
発泡材料は、紙、澱粉、ポリプロピレンの混合物を成形機内において高圧状態で加熱混合し、この混合物を成形機の金型出口から放出して製造する。高圧から低圧になったとき、高温になっている水が一気に気化して発泡することによって発泡材料が形成される。
【００３１】
このように、本実施形態に係るパネル材では、断熱パネルを構成する発泡材料の製造過程でフロンや化学発泡材を使用することがなく、またこの発泡材料は、リサイクル使用が可能である他、廃棄したとしても多くの二酸化炭素を排出したりすることがない。このため、製造、廃棄において環境を悪化させることが少ない。
【００３２】
発泡材料の原材料である、紙及び澱粉の質量は、全体の５０％以上を占めており、ポリプロピレンは５０％未満とすることが好ましい。これにより、発泡率を維持しつつ良好な成形性を保持できる。本実施形態に係る断熱パネル１２、１２を構成する発泡材料は、例えば、二酸化炭素排出量をイソブタン発泡ウレタンに比して約８０％、イソブタン発泡スチレンに比した約７０％削減できると期待される。
【００３３】
メラミン化粧板１３は、断熱パネル１２の外側、すなわち断熱パネル１２の両面のうち金属パネル１１が接合されない側に接着剤で接合される。メラミン化粧板１３は、不燃性であり、耐火性と美観に優れる。メラミン樹脂化粧パネルは、合板の表面にフェノール樹脂を染み込ませ紙を重ねて圧着し、メラミン樹脂を塗って形成したものである。張強度、硬度、耐衝撃性に優れており、表面が光沢を持ち耐水性、耐候性、耐磨耗性にも優れる。
【００３４】
なお、メラミン樹脂化粧パネルに代えて、他の素材からなる化粧パネルを使用することができる。また、上記例では、金属パネル１１の両面に断熱パネル１２、１２及びメラミン化粧板１３、１３を配置した例を説明したが、金属パネル１１の一方の面に断熱パネル１２、及びメラミン化粧板１３、１３を配置してパネル材１０を構成することができる。
【００３５】
以上説明したように、本考案の実施形態に係るパネル材によれば、断熱パネルを、紙、澱粉、ポリプロピレンを原材料として水蒸気発泡を施して形成された発泡材料で形成しているので、製造にフロンや化学発泡材を使用しない。また発泡材料は、リサイクル使用が可能であり、廃棄したとしても多くの二酸化炭素を排出することがない。
【００３６】
さらに、金属パネルとメラミン樹脂化粧パネルを使用しているので優れた難燃性、不燃性を有する。また、断熱パネルを発泡材料で構成しているので、断熱性の他遮音性を発揮できると共にパネル部材全体を軽量にできる。
本実施の形態に係るパネル材１０は、例えば、室内のパーティションや、壁面パネル材等、屋内において使用される、耐火性、遮音性を必要とする各種パネル材として多用途に使用することができる。
【産業上の利用可能性】
【００３７】
本考案に係るパネル材は、屋内のパーティション、壁面パネル材として利用できる他、広く他の用途の建材として利用可能である。
【符号の説明】
【００３８】
１０：パネル材
１１：金属パネル
１２：断熱材
１３：メラミン化粧板（化粧パネル）
【図１】
0003193063.tif 000003
【図２】
0003193063.tif 000004